(57)【特許請求の範囲】
【請求項１】
磁気テープが巻装される有底円筒状のリールハブを有し、該リールハブの底部に開口部および制止用ギアが形成されてなるリールと、
前記制止用ギアに噛合するギア部を備え、前記リールハブ底面に付勢されてなるブレーキ部材とを備えた磁気テープカートリッジにおいて、
前記リールハブの開口部の周囲に連続する壁部が立設されてなり、
前記ブレーキ部材が、前記壁部に嵌合する嵌合部および前記開口部を遮蔽する遮蔽部を有し、前記開口部を遮蔽した状態にて該壁部に対して移動可能に設けられた第１の部材と、前記ギア部を有するとともに該第１の部材に当接し、該第１の部材とともに移動する第２の部材とからなることを特徴とする磁気テープカートリッジ。
【請求項２】
前記第１の部材および／または前記第２の部材における互いに当接する部分が、凸形状をなしていることを特徴とする請求項１記載の磁気テープカートリッジ。
【請求項３】
前記第１の部材および／または第２の部材が、低摩擦かつ低摩耗材料からなることを特徴とする請求項１または２記載の磁気テープカートリッジ。
【発明の詳細な説明】
【０００１】
【発明の属する技術分野】
本発明は、磁気テープカートリッジに関し、とくにカートリッジケース内に磁気テープが巻装された単一のリールを回転可能に収容する磁気テープカートリッジに関するものである。
【０００２】
【従来の技術】
従来、コンピュータ等の外部記憶装置に用いられる記録媒体として使用されている磁気テープカートリッジには、単一のリールに磁気テープを巻装し、このリールをカートリッジケース内に回転自在に収容したタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
上述したリールは有底円筒状のリールハブを有し、その底部には円周方向に沿って凹凸状の制止用ギアが形成されている。また、リール回転の中心部にはカートリッジケースの厚さ方向に移動可能に係止され、かつリールの制止用ギアに係合する制止用ギアを備えたブレーキボタンが設けられている。そして、このブレーキボタンは例えばコイルバネ等によりケース厚さ方向に付勢されており、カートリッジ不使用時はこの付勢力によって制止用ギアがリールの制止用ギアに噛合することにより、リールの不測の回転を防止するように構成されている。一方、カートリッジ使用状態においては、外部記憶装置等の回転シャフトがカートリッジケース内に挿入されてブレーキボタンに当接し、これによりブレーキボタンがコイルバネの付勢力に抗して移動される。その結果、リールとブレーキボタンとの係止が解除されてリールが回転可能となり、磁気テープをケース外へ引き出すことができる。
【０００４】
【発明が解決しようとする課題】
しかしながら、上述したようにブレーキボタンを移動すると、ブレーキボタンとリールハブ底部との間に隙間が形成され、その隙間から塵埃がカートリッジケース内に侵入するため、カートリッジケースの防塵性が低下してしまう。
【０００５】
本発明は上記事情に鑑みなされたものであり、リールのブレーキを解除してもカートリッジケースの防塵性を保持できる磁気テープカートリッジを提供することを目的とするものである。
【０００６】
【課題を解決するための手段】
本発明による磁気テープカートリッジは、磁気テープが巻装される有底円筒状のリールハブを有し、該リールハブの底部に開口部および制止用ギアが形成されてなるリールと、
前記制止用ギアに噛合するギア部を備え、前記リールハブ底面に付勢されてなるブレーキ部材とを備えた磁気テープカートリッジにおいて、
前記リールハブの開口部の周囲に連続する壁部が立設されてなり、
前記ブレーキ部材が、前記壁部に嵌合する嵌合部および前記開口部を遮蔽する遮蔽部を有し、前記開口部を遮蔽した状態にて該壁部に対して移動可能に設けられた第１の部材と、前記ギア部を有するとともに該第１の部材に当接し、該第１の部材とともに移動する第２の部材とからなることを特徴とするものである。
【０００７】
ここで、「壁部に嵌合する」とは、嵌合部が壁部に外挿された状態および内挿された状態の双方を含む概念である。また、「開口部を遮蔽した状態にて壁部に対して移動可能に設ける」とは、第１の部材が最大限に移動した状態においても嵌合部と壁部との嵌合が外れない状態のことをいう。
【０００８】
なお、本発明による磁気テープカートリッジにおいては、前記第１の部材および／または前記第２の部材における互いに当接する部分が、凸形状をなしていることが好ましい。
【０００９】
また、前記第１の部材および／または第２の部材が、低摩擦かつ低摩耗材料からなることが好ましい。
【００１０】
【発明の効果】
本発明の磁気テープカートリッジによれば、リールハブ底面への付勢力に抗して第１の部材を移動させると、これに当接する第２の部材が第１の部材とともに移動し、これによりリールハブの制止用ギアとブレーキ部材の制止用ギアとの噛合が外れてリールが回転可能とされる。この際、第１の部材は、開口部を遮蔽する遮蔽部が設けられており、かつ開口部を遮蔽した状態にて壁部に対して移動するため、リールが回転可能とされてもブレーキ部材とリールハブ底部との間に隙間は形成されないこととなる。したがって、リールのブレーキを解除しても磁気テープカートリッジの防塵性を保持することができる。
【００１１】
なお、第１の部材はリールハブの壁部と嵌合されているため、リールを回転させると、リールハブとともに第１の部材が回転し、第１の部材と第２の部材とが摺動して摩耗粉が発生したり、リール回転の摺動抵抗が大きくなるおそれがある。このため、第１の部材と第２の部材とが当接する部分の少なくとも一方を凸形状とすることにより、第１および第２の部材の接触面積を小さくして、摺動抵抗を小さくするとともに、摩耗分の発生を低減させることができる。
【００１２】
また、第１および／または第２の部材を低摩擦かつ低摩耗材料からなるものとすることにより、第１および第２の部材の摺動抵抗および摩耗粉の発生をさらに低減させることができる。
【００１３】
【発明の実施の形態】
以下図面を参照して本発明の実施形態について説明する。
【００１４】
図１は本発明の実施形態による磁気テープカートリッジの構成を示す分解斜視図である。図１に示すように本発明の実施形態による磁気テープカートリッジ１は、下リール５と上リール６とを超音波溶着により結合した単一のリール４に磁気テープ２０を巻装し、上ケース２と下ケース３とがビス等により締結されてなるカートリッジケース７内に、リール４を回動自在に収容して構成されている。
【００１５】
下リール５は外周に磁気テープ２０が巻回される円筒状のリールハブ２３と、リールハブ２３の下端外周から径方向に張り出したフランジ部２４とを合成樹脂により一体成型したもので、リールハブ２３の底部外面にリール４を回転駆動するマグネット式の回転駆動手段を接合させるためのリールプレート８が取付けられる。またリールハブ２３の底部内面には、後述するブレーキ部材３０に形成された制止用ギア３２Ａと係合してリール４の不使用時における回転を拘束する制止用ギア２３Ａが刻設されている。また、リールハブ２３には、磁気テープカートリッジ１を使用する外部記憶装置等の記録再生装置に設けられたドライブ解除スピンドルが挿通されてブレーキ部材３０を上方へ移動させるための開口２３Ｂが形成されている。さらに開口２３Ｂの周囲には、ブレーキ部材３０が嵌合される環状の溝部２３Ｃが形成されている。
【００１６】
ブレーキ部材３０は、図２に示すようにリールハブ２３の溝部２３Ｃに嵌合する嵌合部３１Ａを有する有底円筒状の第１の部材３１と、図３に示すように制止用ギア３２Ａが形成された有底円筒状の第２の部材３２とからなる。第１の部材３１の上面には第２の部材３２と当接する凸部３１Ｂが形成され、その下面には、リールハブ２３の開口２３Ｂに露呈する露呈部３１Ｃが形成されている。また第２の部材３２には、上ケース２に形成された十字状の嵌合溝２Ａ（図４参照）に常時嵌合する十字状の突起部３２Ｂが形成されている。
【００１７】
そして、ブレーキ部材３０は、図４に示すようにリールハブ２３の溝部２３Ｃに第１の部材３１の嵌合部３１Ａを嵌合し、制止用ギア２３Ａと制止用ギア３２Ａとを噛合させて第２の部材３２を第１の部材３１上に載置するとともに、突起部３２Ｂにコイルバネ１０を挿入して第１および第２の部材３１，３２を図４の下方に付勢しかつ突起部３２Ｂと嵌合溝２Ａとを嵌合させた状態でカートリッジケース７内に装着されている。なお、第２の部材３２が図４の下方に付勢された状態において、第２の部材３２と第１の部材３１の凸部３１Ｂとが当接し、かつ制止用ギア３２Ａと制止用ギア２３Ａとが噛合するように、第１の部材３１の高さ（嵌合部３１Ａの底面から凸部３１Ｂの上端までの距離）が設定されている。また、第１の部材３１が最大限に上方へ移動した状態において、嵌合部３１Ａと溝部２３Ｃとの嵌合が外れないように、嵌合部３１Ａの高さおよび溝部２３Ｃの深さが設定されている。さらに、第１の部材３１および／または第２の部材３２は、ＰＯＭ、モリブデン入り樹脂等の低摩擦かつ低摩耗材料にて形成されている。
【００１８】
そしてこの状態において、ブレーキ部材３０とリールハブ２３との制止用ギア３２Ａ，２３Ａが咬み合ってリール４の不使用時における回転が防止されている。一方、カートリッジ使用時は、磁気テープを使用する装置のドライブ解除スピンドルが第１の部材３１の露呈部３１Ｃを押圧すると、第１および第２の部材３１，３２がコイルバネ１０の付勢力に抗して図４中上方へ移動し、これにより制止用ギア２３Ａ，３２Ａの係合が解除されてリール４が回転自在とされる。この際、第１の部材３１の嵌合部３１Ａはリールハブ２３の溝部２３Ｃに対して摺動して上方へ移動するが、嵌合部３１Ａと溝部２３Ｃとの嵌合が外れることはない。
【００１９】
カートリッジケース７の一側壁には、磁気テープ２０を引き出すための開口部２６が形成されている。開口部２６にはカートリッジケース７の側壁に平行な矢印Ａ方向に移動可能なスライドドア２７が取付けられている。スライドドア２７は不図示のバネにより、開口部２６を閉じる方向に付勢されている。
【００２０】
また、磁気テープカートリッジ１はその不使用時に磁気テープ２０が完全にリール４に巻き込まれた状態で、磁気テープ２０の端部に取付けられたリーダピン２１（磁気テープカートリッジ１を使用する記録再生装置が磁気テープ２０を装置内のテープ走行路に導入するための手段）が開口部２６の近傍に形成された凹部２８に係止される。
【００２１】
そして、磁気テープカートリッジ１が対応する外部記録装置等の記録再生装置にセットされると、上述したようにブレーキ部材３０とリールハブ２３との制止用ギア３２Ａ，２３Ａの係止が解除されてリール４が回転自在とされるとともに、マグネット式の回転駆動手段がリールプレート８と接合してリール４を回転する。これとともに、スライドドア２７が開かれてリーダピン２１がテープ走行路の所定位置に引き込まれ、磁気テープ２０へのデータの読み書きが可能となる。この状態において、第１の部材３１の嵌合部３１Ａとリールハブ２３の溝部２３Ｃとの嵌合が外れることはないため、カートリッジケース７は外部と遮蔽された状態にある。したがって、リールハブ２３の開口２３Ｂからカートリッジケース７内への塵埃の侵入を防止することができる。
【００２２】
なお、第１の部材３１の嵌合部３１Ａとリールハブ２３の溝部２３Ｃとが嵌合しているため、リール４が回転すると回転が制止されている第２の部材３２に対して第１の部材３１が回転する可能性がある。本実施形態においては、第１の部材３１と第２の部材３２とは第１の部材３１に形成された凸部３１Ｂにおいて当接しているため、その摺動抵抗を小さくでき、また摩耗粉の発生も低減することができる。さらに、第１および／または第２の部材３１，３２を上述したＰＯＭ等の低摩擦かつ低摩耗材料にて構成しているため、摺動抵抗および摩耗粉の発生をさらに低減させることができる。
【００２３】
なお、上記実施形態においては、リールハブ２３に溝部２３Ｃを形成し、この溝部２３Ｃに第１の部材３１の嵌合部３１Ａを嵌合させるようにしているが、図５に示すように、リールハブ２３の開口２３Ｂの周囲に壁部２３Ｄを形成し、この壁部２３Ｄに第１の部材３１の嵌合部３１Ａを外挿するようにしてもよい。また、図６に示すように、開口２３Ｂの周囲に壁部２３Ｅを形成し、この壁部２３Ｅに第１の部材３１の嵌合部３１Ａを内挿するようにしてもよい。この場合、第１の部材３１が開口２３Ｂから外れないように、壁部２３Ｅから開口２３Ｂに突出するフランジ部２３Ｆを形成することが好ましい。
【００２４】
また、上記実施形態においては、第１の部材３１に凸部３１Ｂを形成して第２の部材３２と当接させているが、第２の部材３２における第１の部材３１と当接する部分に凸部を形成してもよく、また第１および第２の部材３１，３２の双方に凸部を形成してもよい。
【図面の簡単な説明】
【図１】本発明の実施形態による磁気テープカートリッジの構成を示す分解斜視図
【図２】第１の部材の構成を示す図
【図３】第２の部材の構成を示す図
【図４】ブレーキ部材をカートリッジケースに装着した状態を示す断面図
【図５】本発明の他の実施形態を示す図
【図６】本発明のさらに他の実施形態を示す図
【符号の説明】
１    磁気テープカートリッジ
２    上ケース
３    下ケース
４    リール
７    カートリッジケース
２３    リールハブ
２３Ｂ  開口
２３Ｃ  溝部
３０    ブレーキ部材
３１    第１の部材
３１Ａ  嵌合部
３２    第２の部材
【図１】
0003614634.tif 000002
【図２】
0003614634.tif 000003
【図３】
0003614634.tif 000004
【図４】
0003614634.tif 000005
【図５】
0003614634.tif 000006
【図６】
0003614634.tif 000007